(57)【要約】干渉低減のための方法が説明される。本方法は、ワイヤレスデバイスで実施される。ページがセカンダリ受信機を介して受信されるはずであることが決定される。また、ページが受信された場合に、送信機からのデジタルアナログ変換器（ＤＡＣ）イメージがセカンダリ受信機に干渉をもたらすはずであることも決定される。送信機のためのＤＡＣのサンプリング周波数は、セカンダリ受信機に干渉をもたらす送信機からのＤＡＣイメージが１つも存在しないように変更される。【選択図】図１０
2012531832.tif 000002
【特許請求の範囲】
【請求項１】
ワイヤレスデバイスで実施される干渉低減のための方法であって、
ページがセカンダリ受信機を介して受信されるはずであることを決定することと、
前記ページが受信された場合に、送信機からのデジタルアナログ変換器（ＤＡＣ）イメージが前記セカンダリ受信機に干渉をもたらすはずであることを決定することと、
前記セカンダリ受信機に干渉をもたらす前記送信機からのＤＡＣイメージが１つも存在しないように前記送信機のための前記ＤＡＣのサンプリング周波数を変更することとを備える方法。
【請求項２】
前記送信機はＥＶ−ＤＯ（発展データ最適化）送信機であり、前記セカンダリ受信機はＣＤＭＡ２０００受信機である請求項１に記載の方法。
【請求項３】
前記方法は、前記ワイヤレスデバイスがＥＶ−ＤＯ（発展データ最適化）データセッション呼び出しの最中に行われる請求項１に記載の方法。
【請求項４】
プライマリ受信機が、前記ＥＶ−ＤＯデータセッション呼び出しのために使用される請求項３に記載の方法。
【請求項５】
前記プライマリ受信機はプライマリアンテナに接続され、前記セカンダリ受信機はセカンダリアンテナに接続される請求項４に記載の方法。
【請求項６】
前記送信機は複数の周波数帯域で送信可能であり、前記プライマリ受信機は複数の周波数帯域で受信可能である請求項４に記載の方法。
【請求項７】
前記セカンダリ受信機は、複数の周波数帯域で複数のページを受信可能である請求項１に記載の方法。
【請求項８】
前記ページは、ＣＤＭＡ２０００ページである請求項１に記載の方法。
【請求項９】
前記セカンダリ受信機は、前記ＣＤＭＡ２０００ページを受信する前に、前記ＣＤＭＡ２０００ページを受信するためにどの周波数が使用されることになるかを知る請求項８に記載の方法。
【請求項１０】
前記ＤＡＣイメージはＣＤＭＡ２０００受信機ページングチャネルに陥ることによって前記セカンダリ受信機に干渉をもたらす請求項１に記載の方法。
【請求項１１】
前記ＤＡＣの前記サンプリング周波数は、ＥＶ−ＤＯ（発展データ最適化）送信信号で振幅と位相過渡を最小化するように変更される請求項１に記載の方法。
【請求項１２】
前記ＤＡＣの前記サンプリング周波数は、ＥＶ−ＤＯ（発展データ最適化）チャネルまたはＣＤＭＡ２０００ページングチャネル上のいずれにも前記ＤＡＣイメージが陥らないように変更される請求項１に記載の方法。
【請求項１３】
前記ワイヤレスデバイスは、同時ハイブリッドデュアルレシーバ（ＳＨＤＲ）をサポートする請求項１に記載の方法。
【請求項１４】
干渉低減のために構成されたワイヤレスデバイスであって、
送信機と、
プライマリ受信機と、
セカンダリ受信機と、
セカンダリ受信機を介してページが受信されるはずであることを決定し、
前記ページが受信された場合に、送信機からのデジタルアナログ変換器（ＤＡＣ）イメージが前記セカンダリ受信機に干渉をもたらすはずであることを決定し、
前記セカンダリ受信機に干渉をもたらす前記送信機からのＤＡＣイメージが１つも存在しないように、前記送信機のための前記ＤＡＣのサンプリング周波数を変更するように構成されたコントローラとを備えるワイヤレスデバイス。
【請求項１５】
前記送信機はＥＶ−ＤＯ（発展データ最適化）送信機であり、前記セカンダリ受信機はＣＤＭＡ２０００受信機である請求項１４に記載のワイヤレスデバイス。
【請求項１６】
前記ワイヤレスデバイスは、ＥＶ−ＤＯ（発展データ最適化）データセッション呼び出しの最中にある請求項１４に記載のワイヤレスデバイス。
【請求項１７】
前記プライマリ受信機は、前記ＥＶ−ＤＯデータセッション呼び出しのために使用される請求項１６に記載のワイヤレスデバイス。
【請求項１８】
前記プライマリ受信機はプライマリアンテナに接続され、前記セカンダリ受信機はセカンダリアンテナに接続される請求項１４に記載のワイヤレスデバイス。
【請求項１９】
前記送信機は複数の周波数帯域で送信可能であり、前記プライマリ受信機は複数の周波数帯域で受信可能である請求項１４に記載のワイヤレスデバイス。
【請求項２０】
前記セカンダリ受信機は、複数の周波数帯域で複数のページを受信可能である請求項１４に記載のワイヤレスデバイス。
【請求項２１】
前記ページはＣＤＭＡ２０００ページである請求項１４に記載のワイヤレスデバイス。
【請求項２２】
前記セカンダリ受信機は、前記ＣＤＭＡ２０００ページを受信する前に、前記ＣＤＭＡ２０００ページを受信するためにどの周波数が使用されるはずであるかを知る請求項２１に記載のワイヤレスデバイス。
【請求項２３】
前記ＤＡＣイメージは、ＣＤＭＡ２０００受信機ページングチャネルに陥ることによって前記セカンダリ受信機に干渉をもたらす請求項１４に記載のワイヤレスデバイス。
【請求項２４】
前記ＤＡＣの前記サンプリング周波数は、ＥＶ−ＤＯ（発展データ最適化）送信信号で振幅と位相過渡を最小化するように変更される請求項１４に記載のワイヤレスデバイス。
【請求項２５】
前記ＤＡＣの前記サンプリング周波数は、ＥＶ−ＤＯ（発展データ最適化）チャネルまたはＣＤＭＡ２０００ページングチャネルのいずれにも前記ＤＡＣイメージが陥らないように変更される請求項１４に記載のワイヤレスデバイス。
【請求項２６】
前記ワイヤレスデバイスは、同時ハイブリッドデュアルレシーバ（ＳＨＤＲ）をサポートする請求項１４に記載のワイヤレスデバイス。
【請求項２７】
干渉低減のために構成された装置であって、
ページがセカンダリ受信機を介して受信されるはずであることを決定するための手段と、
前記ページが受信された場合に、送信機からのデジタルアナログ変換器（ＤＡＣ）イメージが前記セカンダリ受信機に干渉をもたらすはずであることを決定するための手段と、
前記セカンダリ受信機に干渉をもたらす前記送信機からのＤＡＣイメージが１つも存在しないように、前記送信機のための前記ＤＡＣのサンプリング周波数を変更するための手段とを備える装置。
【請求項２８】
前記送信機はＥＶ−ＤＯ（発展データ最適化）送信機であり、前記セカンダリ受信機はＣＤＭＡ２０００受信機である請求項２７に記載の装置。
【請求項２９】
前記装置は、ＥＶ−ＤＯ（発展データ最適化）データセッション呼び出しの最中にある請求項２５に記載の装置。
【請求項３０】
プライマリ受信機は、前記ＥＶ−ＤＯデータセッション呼び出しのために使用される請求項２９に記載の装置。
【請求項３１】
前記装置は、同時ハイブリッドデュアルレシーバ（ＳＨＤＲ）をサポートする請求項２７に記載の装置。
【請求項３２】
複数の命令を持つコンピュータ可読媒体を備えるコンピュータプログラム製品であって、前記複数の命令は、
ページがセカンダリ受信機を介して受信されるはずであることを決定するための符号と、
前記ページが受信された場合に、送信機からのデジタルアナログ変換器（ＤＡＣ）イメージが前記セカンダリ受信機に干渉をもたらすはずであることを決定するための符号と、
前記セカンダリ受信機に干渉をもたらす前記送信機からのＤＡＣイメージが１つも存在しないように、前記送信機のための前記ＤＡＣのサンプリング周波数を変更するための符号とを備えるコンピュータプログラム製品。
【請求項３３】
前記送信機はＥＶ−ＤＯ（発展データ最適化）送信機であり、前記セカンダリ受信機はＣＤＭＡ２０００受信機である請求項３２に記載のコンピュータプログラム製品。
【請求項３４】
前記コンピュータプログラム製品はワイヤレスデバイス上で使用され、前記ワイヤレスデバイスはＥＶ−ＤＯ（発展データ最適化）データセッション呼び出しの最中にある請求項３２に記載のコンピュータプログラム製品。
【請求項３５】
プライマリ受信機は、ＥＶ−ＤＯデータセッション呼び出しのために使用される請求項３４に記載のコンピュータプログラム製品。
【発明の詳細な説明】
【関連出願】
【０００１】
本出願は、２００９年６月２６日に出願した米国仮出願第６１／２２０，９５９号「ＤＹＮＡＭＩＣ  ＴＲＡＮＳＭＩＴＴＥＲ  ＳＡＭＰＬＩＮＧ  ＲＡＴＥ  ＣＨＡＮＧＥ  ＭＥＣＨＡＮＩＳＭ  ＦＯＲ  ＳＩＭＵＬＴＡＮＥＯＵＳ  ＨＹＢＲＩＤ  ＤＵＡＬ  ＲＥＣＥＩＶＥ  ＤＩＧＩＴＡＬ−ＴＯ−ＡＮＡＬＯＧ  ＣＯＮＶＥＲＴＥＲ  （ＤＡＣ）  ＩＭＡＧＥ  ＤＥＳＥＮＳＩＴＩＺＡＴＩＯＮ  ＭＩＴＩＧＡＴＩＯＮ」に関連し、その優先権を主張するものである。
【技術分野】
【０００２】
本開示は一般に、ワイヤレス通信システムに関する。特に、本開示はデジタルアナログコンバータ（ＤＡＣ）イメージから干渉を低減させるためにＤＡＣ用送信機サンプリング周波数を動的に変更するシステムおよび方法に関する。
【背景技術】
【０００３】
ワイヤレスデバイスは、消費者のニーズの応えて携帯性および利便性を向上させるためにより小さくかつより強力になっている。消費者は、携帯電話、携帯情報端末（ＰＤＡ）、ラップトップコンピュータ等のワイヤレスデバイスに頼るようになっている。消費者は、信頼できるサービス、拡大されたサービスエリアおよび増大された機能性を期待するようになっている。
【０００４】
ワイヤレスデバイスは、複数のワイヤレス通信規格を使用して通信することが可能であってよい。ワイヤレスデバイスは、ワイヤレスローカルエリアネットワーク（ＷＬＡＮ）、Ｂｌｕｅｔｏｏｔｈ(登録商標)、セルラーおよび全地球測位システム（ＧＰＳ）を使用して通信することが可能であってよい。いくつかの例では、ワイヤレスデバイスが複数のワイヤレス規格を同時に使用して通信してよい。例えば、コンピュータがワイヤレスローカルエリアネットワーク（ＷＬＡＮ）を使用してインターネットウェブサイトから曲をダウンロードする一方で、Ｂｌｕｅｔｏｏｔｈのステレオヘッドセットがこのコンピュータから音楽を受信してよい。
【０００５】
ワイヤレスデバイスによって送られる送信は、ワイヤレスデバイスによって受信される通信、またはその他のワイヤレスデバイスによって受信される通信に干渉することがある。例えば、デジタルアナログ変換器（ＤＡＣ）は、受信のための複数の受信機によって使用される周波数かこれら近くでの送信にＤＡＣイメージを持ち込むことがある。これらＤＡＣイメージは干渉の原因となり得る。大型で高性能のフィルタは、ＤＡＣイメージのうちのいくらかを高コストであるが除去できる。
【発明の概要】
【０００６】
干渉低減のための方法が説明される。本方法は、ワイヤレスデバイスにおいて実施される。ページがセカンダリ受信機を介して受信されるはずであることが決定される。また、ページが受信された場合に、送信機からのデジタルアナログ変換器（ＤＡＣ）イメージがセカンダリ受信機に干渉をもたらすはずであることが決定される。送信機のためのＤＡＣのサンプリング周波数はセカンダリ受信機に干渉をもたらす送信機からのＤＡＣイメージが１つも存在しないように変更される。
【０００７】
送信機はＥＶ−ＤＯ（発展データ最適化）（Evolution Data Optimized）送信機であってよい。セカンダリ受信機はＣＤＭＡ２０００受信機であってよい。本方法は、ワイヤレスデバイスがＥＶ−ＤＯ（発展データ最適化）データセッション呼び出しの最中であるときに行われてよい。プライマリ受信機がＥＶ−ＤＯデータセッション呼び出しに使用されてよい。プライマリ受信機はプライマリアンテナに接続され、セカンダリ受信機はセカンダリアンテナに接続されてよい。
【０００８】
送信機は複数の周波数帯域で送信可能であってよい。プライマリ受信機は複数の周波数帯域で受信可能であってよい。セカンダリ受信機は複数の周波数帯域で複数のページを受信可能であってよい。これらページはＣＤＭＡ２０００のページであってよい。セカンダリ受信機は、ＣＤＭＡ２０００ページを受信する前に、ＣＤＭＡ２０００ページを受信するためにどの周波数が使用されることになるかを知り得る。ＤＡＣイメージはＣＤＭＡ２０００受信機のページングチャネルに陥ることによってセカンダリ受信機に干渉をもたらし得る。
【０００９】
ＤＡＣのサンプリング周波数は、ＥＶ−ＤＯ（発展データ最適化）送信信号で振幅と位相過渡（phase transients）を最小化するように変更され得る。また、ＤＡＣのサンプリング周波数はＥＶ−ＤＯ（発展データ最適化）チャネルまたはＣＤＭＡ２０００ページングチャネルのいずれにもＤＡＣイメージが陥らないように変更され得る。ワイヤレスデバイスは、同時ハイブリッドデュアルレシーバ（ＳＨＤＲ）をサポートできる。
【００１０】
また、干渉低減のために構成されたワイヤレスデバイスが説明される。ワイヤレスデバイスは送信機、プライマリ受信機、セカンダリ受信機、およびコントローラを含む。このコントローラは、ページがセカンダリ受信機を介して受信されるはずであることを決定するように構成される。また、このコントローラは、ページが受信されたときに送信機からのデジタルアナログ変換器（ＤＡＣ）イメージがセカンダリ受信機に干渉をもたらすはずであることを決定するようにも構成される。このコントローラは、さらにセカンダリ受信機に干渉をもたらす送信機からのＤＡＣイメージが１つも存在しないようにするために送信機のためのＤＡＣのサンプリング周波数を変更するように構成される。
【００１１】
干渉低減のために構成された装置が説明される。この装置は、ページがセカンダリ受信機を介して受信されるはずであることを決定するための手段を含む。また、この装置は、ページが受信されたときに送信機からのデジタルアナログ変換器（ＤＡＣ）イメージがセカンダリ受信機に干渉をもたらすはずであることを決定するための手段を含む。この装置は、さらにセカンダリ受信機に干渉をもたらす送信機からのＤＡＣイメージが１つも存在しないようにするために送信機のためのＤＡＣサンプリング周波数を変更するための手段をさらに含む。
【００１２】
複数の命令を媒体上に有するコンピュータ可読媒体を含むコンピュータプログラム製品が説明される。これら命令は、ページがセカンダリ受信機を介して受信されるはずであることを決定するための符号を含む。また、これら命令はページが受信されたときに送信機からのデジタルアナログ変換器（ＤＡＣ）イメージがセカンダリ受信機に干渉をもたらすはずであることを決定するための符号を含む。これら命令は、さらにセカンダリ受信機に干渉をもたらす送信機からのＤＡＣイメージが１つも存在しないようにするために送信機のためのＤＡＣサンプリング周波数を変更するための符号をさらに含む。
【図面の簡単な説明】
【００１３】
【図１】複数のワイヤレス装置を備えたワイヤレス通信システムを示す図。
【図２】干渉を低減させるためにデジタルアナログ変換器（ＤＡＣ）でサンプルレートを調整するための方法の流れ図。
【図３】本システムと方法で使用するためのゼロ中間周波数（ＩＦ）送信機を示すブロック図。
【図４】干渉を低減させるためにデジタルアナログ変換器（ＤＡＣ）サンプリング周波数を調整するための方法の流れ図。
【図５】本システムと方法で使用するためのサンプルレート調整器を示すブロック図。
【図６】本システムと方法で使用するための他のサンプルレート調整器を示すブロック図。
【図７】複数の補間器を使用してデジタルアナログ変換器（ＤＡＣ）サンプリング周波数を調整するための方法の流れ図。
【図８】モデムのためのフロントエンド構造の構成を示すブロック図。
【図９】同時ハイブリッドデュアルレシーバ（ＳＨＤＲ）機能を含むワイヤレス通信デバイスのブロック図。
【図１０】デジタルアナログ変換器（ＤＡＣ）サンプリング周波数を動的に変更するための方法の流れ図。
【図１１】デジタルアナログ変換器（ＤＡＣ）の周波数応答と、デジタルアナログ変換器（ＤＡＣ）の出力とを示すグラフ。
【図１２】基地局に含まれてよい複数の特定構成要素を示す図。
【図１３】ワイヤレス通信デバイスに含まれてよい複数の特定構成要素を示す図。
【発明を実施するための形態】
【００１４】
図１は、複数のワイヤレスデバイス１０２を備えたワイヤレス通信システム１００を示す。ワイヤレスデバイス１０２は基地局、ワイヤレス通信デバイス、コントローラ等であってよい。基地局は、１つまたは複数のワイヤレス通信デバイスと通信する局である。また、基地局はアクセスポイント、ブロードキャスト送信機、ノードＢ、進化型ノードＢ等と呼ばれてよく、それらのうちのいくつかまたは全ての機能を含んでよい。本明細書では、「基地局」という用語が使用される。各基地局は、特定の地理的エリアのために通信範囲を提供する。基地局は、１つまたは複数のワイヤレス通信デバイスのために通信範囲を提供してよい。「セル」という用語は、この用語が使用される文脈に応じて、基地局および／またはその範囲エリアのことを指し得る。
【００１５】
ワイヤレス通信デバイスは端末、アクセス端末、ユーザ機器（ＵＥ）、加入者ユニット、局等と呼ばれてもよく、それらのうちのいくつかまたは全ての機能を含んでよい。ワイヤレス通信デバイスは携帯電話、携帯情報端末（ＰＤＡ）、ワイヤレスデバイス、ワイヤレスモデム、ハンドヘルドデバイス、ラップトップコンピュータ等であってよい。ワイヤレス通信デバイスは、任意の与えられた瞬間にダウンリンクおよび／またはアップリンクでゼロ、１つまたは複数の基地局と通信してよい。ダウンリンク（または順方向リンク）とは、基地局からワイヤレス通信デバイスへの通信リンクのことを指し、アップリンク（または逆方向リンク）とは、ワイヤレス通信デバイスから基地局への通信リンクのことを指す。
【００１６】
ワイヤレス通信システム１００は、利用可能なシステム資源（例えば帯域幅と送信電力等）を共有することにより、複数のユーザとの通信をサポートすることができる多元接続システムであってよい。そのような多元接続システムの例は、符号分割多元接続（ＣＤＭＡ）システム、時間分割多元接続（ＴＤＭＡ）システム、周波数分割多元接続（ＦＤＭＡ）システム、直交周波数分割多元接続（ＯＦＤＭＡ）システムおよび空間分割多元接続（ＳＤＭＡ）システムを含む。
【００１７】
「マルチモード」のワイヤレスデバイス１０２は、複数のワイヤレス技術を同時に使用してよい。そのような技術の例は、Ｂｌｕｅｔｏｏｔｈ、セルラー、ワイヤレスローカルエリアネットワーク（ＷＬＡＮ）および全地球測位システム（ＧＰＳ）を含む。１つの構成では、ワイヤレスデバイス１０２が第１のアンテナ１０４ａを使用してセルラー通信を送信し、第２のアンテナ１０４ｂを使用してセルラー通信を受信し、第３のアンテナ１０４ｃを使用してその他の通信（例えばＢｌｕｅｔｏｏｔｈ、ＷＬＡＮ、ＧＰＳ等）を受信してよい。ワイヤレスデバイス１０２は同時ハイブリッドデュアルレシーバ（ＳＨＤＲ）機能を含んでよく、この機能では、ＣＤＭＡ２０００  １ｘＥＶ−ＤＯ（発展データ最適化）システムにおける送信および受信がプライマリアンテナを使用して行われる一方で、プライマリアンテナのための通信全体を向上させるために、ＣＤＭＡ２０００  １ｘシステムにおける受信がセカンダリアンテナを使用して行われる。
【００１８】
ワイヤレス技術は、複数の異なるバンドクラスで動作してよい。バンドクラスはワイヤレス通信のための周波数スペクトルの一部分の割り当てである。バンドクラスの例は、セルラー、パーソナルコミュニケーションサービス（ＰＣＳ）およびインターナショナルモバイルテレコミュニケーション（ＩＭＴ）を含む。異なるバンドクラスのために異なる周波数が利用されてよい。また、異なるバンドクラスのために異なる二重オフセットが利用されてよい。「二重オフセット(duplex offset)」という用語は、ワイヤレス通信送信機と受信機との間の周波数の差のことを指してよい。例えば、モバイル送信の周波数は、セルラーバンドクラスについては８２４から８４９メガヘルツ（ＭＨｚ）であり、ＰＣＳバンドクラスについては１８５０から１９１０ＭＨｚであり、ＩＭＴバンドクラスについては１９２０から１９８０ＭＨｚ等である。二重オフセットは、例えばセルラーバンドクラスについては４５ＭＨｚ（すなわち受信機は送信機の４５ＭＨｚ上方で動作する）であり、ＰＣＳバンドクラスについては８０ＭＨｚであり、ＩＭＴバンドクラスについては１９０ＭＨｚ等である。
【００１９】
第１のワイヤレスデバイス１０２ａは、通信を伝送するためにプライマリ送信機１０６を使用してよい。１つの構成では、プライマリ送信機１０６はセルラー送信機であってよい。送信機は、図３に関して以下でより詳細に論じられる。プライマリ送信機１０６は、第１のアンテナ１０４ａを介する送信のための入力信号１０８を準備できる。例えばプライマリ送信機１０６は、送信の前にデジタルアナログ変換器（ＤＡＣ）１２０を使用して入力信号１０８をデジタル信号からアナログ信号へ変換できる。
【００２０】
デジタルアナログ変換器（ＤＡＣ）１２０は、デジタルアナログ変換器（ＤＡＣ）サンプリング周波数１１８でクロック信号を使用して動作できる。デジタルアナログ変換器（ＤＡＣ）１２０は、所望しない周波数の「複数のイメージ」を持つ出力信号を生成することがある。デジタルアナログ変換器（ＤＡＣ）１２０出力が所望の信号に正確に合致するのは各クロックサイクルの間に１度しかないので、これらイメージが１つのクロックサイクル期間に特定の値を持つデジタルアナログ変換器（ＤＡＣ）１２０出力に由来し得る。これは、ゼロ次ホールドと呼ばれることもある。クロックサイクルの残りの間、デジタルアナログ変換器（ＤＡＣ）１２０の出力と理想的な信号とは異なることがあり、エラーエネルギーを生成する。デジタルアナログ変換器（ＤＡＣ）１２０のイメージはデジタルアナログ変換器（ＤＡＣ）サンプリング周波数１１８の高調波で生成され得る。例えば、デジタルアナログ変換器（ＤＡＣ）サンプリング周波数１１８が１００メガヘルツ（ＭＨｚ）である場合、望ましくないイメージは１００ＭＨｚ、２００ＭＨｚ、３００ＭＨｚ等で生成され得る。
【００２１】
デジタルアナログ変換器（ＤＡＣ）１２０の出力信号により生成されるイメージは、特に複数のワイヤレス技術をサポートするように構成された「マルチモード」デバイスであるワイヤレスデバイス１０２を意味し得る。例えば、ワイヤレスデバイス１０２ａはプライマリ受信機１２２を含んでよい。プライマリ受信機１２２は、第２のアンテナ１０４ｂを使用して通信を受信してよい。受信される通信は、プライマリ受信機周波数１２４で受信されてよい。デジタルアナログ変換器（ＤＡＣ）１２０の出力信号で生成されたイメージがプライマリ受信機周波数１２４またはその近くに陥ると、プライマリ受信機１２２と干渉が生じ得る。同様に、デジタルアナログ変換器（ＤＡＣ）１２０の出力信号がワイヤレスデバイス１０２ａのセカンダリ受信機１２６によって使用されるセカンダリ受信機周波数１２８またはその近くに陥ると、セカンダリ受信機１２６との干渉が生じ得る。ワイヤレスデバイス１０２ａのセカンダリ受信機１２６は第３のアンテナ１０４ｃを介してワイヤレス通信を受信できる。セカンダリ受信機１２６はＢｌｕｅｔｏｏｔｈ信号、ワイヤレスローカルエリアネットワーク（ＷＬＡＮ）信号、全地球測位システム（ＧＰＳ）信号等を受信できる。ワイヤレスデバイス１０２は、アンテナ１０４ｃを各々持つ複数のセカンダリ受信機１２６を有してよい。
【００２２】
プライマリ受信機周波数１２４は、プライマリ送信機１０６が現在動作しているバンドクラスに依存し得る。従って、デジタルアナログ変換器（ＤＡＣ）１２０のデジタルアナログ変換器（ＤＡＣ）サンプリング周波数１１８は、プライマリ送信機１０６が現在動作しているバンドクラスに基づいて調整され得る。また、プライマリ受信機周波数１２４は現在どのワイヤレス技術が使用されているかに依存し得る。
【００２３】
第２のワイヤレスデバイス１０２ｂはアンテナ１０４ｄを使用して第１のワイヤレスデバイス１０２ａから送信された信号を受信できる。干渉は、デジタルアナログ変換器（ＤＡＣ）１２０の出力信号で生成されたイメージが第２のワイヤレスデバイス１０２ｂの受信機１３０によって使用される受信機周波数１３２またはその近くに陥るときに生じ得る。
【００２４】
マルチモードワイヤレスデバイス１０２は異なるバンドクラスで動作可能であるべきなので、デジタルアナログ変換器（ＤＡＣ）サンプリング周波数１１８はＤＡＣイメージがプライマリ受信機１２２、セカンダリ受信機１２６または第２のワイヤレスデバイス１０２ｂの受信機１３０に干渉をもたらさないように選択されることが望ましいはずである。特に、デジタルアナログ変換器（ＤＡＣ）サンプリング周波数１１８は、マルチモードモデムがサポート可能なようにサポートされる全てのありうるバンドクラスおよび二重オフセットでマルチモードモデムが機能できるように選択され得る。しかしながら、この目標を達成することになる単一のデジタルアナログ変換器（ＤＡＣ）サンプリング周波数１１８を選択することはきわめて難しいはずである。代わりに、干渉を回避するように調整可能なことがデジタルアナログ変換器（ＤＡＣ）サンプリング周波数１１８にとって有益なはずである。デジタルアナログ変換器（ＤＡＣ）サンプリング周波数１１８は、デジタルアナログ変換器（ＤＡＣ）１２０出力信号における複数のイメージが注目する複数の受信機が動作できる任意の周波数帯域の外側にあるように調整され得る。
【００２５】
デジタルアナログ変換器（ＤＡＣ）サンプリング周波数１１８を調整するために、デジタルアナログ変換器（ＤＡＣ）１２０へ入力される信号のサンプルレートも変更されるべきである。プライマリ受信機１０６はサンプルレート調整器１１０を含んでよい。サンプルレート調整器１１０は図３に関連して以下でさらに詳細に論じられる。サンプルレート調整器１１０は入力信号１０８を受信できる。サンプルレート調整器１１０は次いで入力信号１０８のためにサンプルレートを調整し、サンプルレートが調整された入力信号１１６をデジタルアナログ変換器（ＤＡＣ）１２０へ出力できる。また、サンプルレート調整器１１０はデジタルアナログ変換器（ＤＡＣ）サンプリング周波数１１８を決定できる。デジタルアナログ変換器（ＤＡＣ）サンプリング周波数１１８はサンプルレート調整器１１０によってデジタルアナログ変換器（ＤＡＣ）１２０に出力され得る。入力信号１０８のサンプルレートとデジタルアナログ変換器（ＤＡＣ）サンプリング周波数１１８との両方を調整することによって、デジタルアナログ変換器（ＤＡＣ）１２０の出力における複数のイメージが干渉を回避するための周波数へ移動され得る。
【００２６】
図２は、干渉を低減させるためにデジタルアナログ変換器（ＤＡＣ）１２０のサンプルレートを調整するための方法２００の流れ図である。方法２００は、ワイヤレスデバイス１０２ａによって行われ得る。ワイヤレスデバイス１０２ａは１つまたは複数の受信機の１つまたは複数の周波数を決定できる（２０２）。１つまたは複数の受信機はワイヤレスデバイス１０２ａからの干渉を潜在的に受ける受信機であり得る。これら受信機はワイヤレスデバイス１０２ａ上のプライマリ受信機１２２（セルラー受信機等）と、ワイヤレスデバイス１０２ａ上のセカンダリ受信機１２６（Ｂｌｕｅｔｏｏｔｈ受信機、ＷＬＡＮ受信機またはＧＰＳ受信機等）と、１つまたは複数の他のワイヤレスデバイス１０２ｂ上の１つまたは複数の受信機１３０とを含んでよい。
【００２７】
ワイヤレスデバイス１０２ａは、決定された１つまたは複数周波数で干渉を回避するようにデジタルアナログ変換器（ＤＡＣ）サンプリング周波数１１８を選択できる（２０４）。１つの構成において、デジタルアナログ変換器（ＤＡＣ）サンプリング周波数１１８は、どの１つまたは複数のワイヤレス技術がワイヤレスデバイス１０２ａによって使用されるかに依存できる。また、デジタルアナログ変換器（ＤＡＣ）サンプリング周波数１１８は他の近隣のワイヤレスデバイス１０２ｂによって使用されるワイヤレス技術に依存することもできる。
【００２８】
また、ワイヤレスデバイス１０２ａは決定された１つまたは複数周波数で干渉を回避するように入力信号１０８のための信号サンプルレートを選択することもできる（２０６）。デジタルアナログ変換器（ＤＡＣ）１２０のサンプルレートを調整するために、デジタルアナログ変換器（ＤＡＣ）サンプリング周波数１１８とデジタルアナログ変換器（ＤＡＣ）１２０へ入力される信号のサンプルレートとの両方が変更されることが必要である。次いでワイヤレスデバイス１０２ａは選択された信号サンプルレートを使用して入力信号１０８のサンプルレートを調整して、サンプルレート調整された入力信号１１６を得ることができる（２０８）。ワイヤレスデバイス１０２ｂはデジタルアナログ変換器（ＤＡＣ）サンプリング周波数１１８を持つデジタルアナログ変換器（ＤＡＣ）１２０を使用してサンプルレート調整された入力信号１１６をデジタル信号からアナログ信号へ変換できる（２１０）。
【００２９】
図３は、本システムと方法で使用するためのゼロ中間周波数（ＩＦ）送信機３０６を示すブロック図である。図３のゼロ中間周波数（ＩＦ）送信機３０６は、図１のプライマリ送信機１０６の１つの形態であってよい。ゼロ中間周波数（ＩＦ）送信機３０６は例示を目的として使用されているが、本明細書の技術はゼロ中間周波数（ＩＦ）送信機３０６に限定されない。例えば、スーパーヘテロダイン送信機（super heterodyne transmitter）または低中間周波数送信機が使用され得る。ゼロ中間周波数（ＩＦ）送信機３０６では、信号が何ら中間周波数段階を伴わずにベースバンド信号から無線周波数（ＲＦ）信号へ直接アップコンバートされ得る。
【００３０】
ゼロ中間周波数（ＩＦ）送信機３０６は、サンプルレート調整器３１０を含んでよい。図３のサンプルレート調整器３１０は図１のサンプルレート調整器１１０の１つの形態であってよい。サンプルレート調整器３１０は、図４および図５に関連して以下にさらに詳細に論じられる。サンプルレート調整器３１０は入力信号３０８を受け取ることができる。入力信号３０８はベースバンド信号でよい。サンプルレート調整器３１０は信号サンプルレート３３４を含んでよい。信号サンプルレート３３４は決定されたデジタルアナログ変換器（ＤＡＣ）サンプリング周波数３１８に対応してよい。１つの形態では、信号サンプルレート３３４およびデジタルアナログ変換器（ＤＡＣ）サンプリング周波数３１８が同じであってよい。
【００３１】
サンプルレート調整器３１０は同相デジタル信号３３６および直交位相デジタル信号３５４を出力できる。ゼロ中間周波数（ＩＦ）送信機３０６は同相デジタルアナログ変換器（Ｉ−ＤＡＣ）３３８および直交位相デジタルアナログ変換器（Ｑ−ＤＡＣ）３５６を含んでよい。同相デジタルアナログ変換器（Ｉ−ＤＡＣ）３３８は同相デジタル信号３３６とデジタルアナログ変換器（ＤＡＣ）サンプリング周波数３１８とをサンプルレート調整器３１０から受け取ることができる。次いで同相デジタルアナログ変換器（Ｉ−ＤＡＣ）３３８はデジタルアナログ変換器（ＤＡＣ）サンプリング周波数３１８を使用して同相デジタル信号３３６を同相アナログ信号３４０へ変換できる。同相アナログ信号３４０はアナログローパスフィルタ（ＬＰＦ）３４２を使用してフィルタリングされ得る。直交位相デジタルアナログ変換器（Ｑ−ＤＡＣ）３５６は、直交デジタル信号３５４とデジタルアナログ変換器（ＤＡＣ）サンプリング周波数３１８とをサンプルレート調整器３１０から受け取ることができる。次いで、直交位相デジタルアナログ変換器（Ｑ−ＤＡＣ）３５６はデジタルアナログ変換器（ＤＡＣ）サンプリング周波数３１８を使用して直交位相デジタル信号３５４を直交位相アナログ信号３５８へ変換できる。直交位相アナログ信号３５８はアナログローパスフィルタ（ＬＰＦ）３６０を使用してフィルタリングされ得る。
【００３２】
直交位相デジタルアナログ変換器（Ｑ−ＤＡＣ）３５６および同相デジタルアナログ変換器（Ｉ−ＤＡＣ）３３８のデジタルアナログ変換（ＤＡＣ）サンプリング周波数３１８を調整しないと、フィルタリングされた直交位相アナログ信号３６２とフィルタリングされた同相アナログ信号３４４との両方が直交位相デジタルアナログ変換器（Ｑ−ＤＡＣ）３５６および同相デジタルアナログ変換器（Ｉ−ＤＡＣ）３３８によって導入されデジタルアナログ変換器（ＤＡＣ）イメージと呼ばれる望ましくない周波数イメージを含み得る。ローパスフィルタ（ＬＰＦ）３４２、３６０は、通常、ＤＡＣイメージがワイヤレスデバイス１０２ａの受信機および他のワイヤレスデバイス１０２ｂの受信機に干渉することを防ぐためにＤＡＣイメージを十分に減衰させることがない。ＤＡＣイメージをフィルタ除去しようとする代わりに、ＤＡＣイメージは、それらがワイヤレスデバイス１０２ａの受信機および他のワイヤレスデバイス１０２ｂの受信機に干渉しないように周波数帯域において移動され得る。従って、ＤＡＣイメージに起因した干渉を緩和するための強力なアナログおよび／またはＲＦフィルタに対する必要性をなくすことができる。
【００３３】
フィルタリングされた同相アナログ信号３４４は、位相同期ループ（ＰＬＬ）３４８によって生成されたローカル発振信号３５０および第１のミキサ３４６を使用して無線周波数（ＲＦ）にアップコンバートされ得る。フィルタリングされた直交位相アナログ信号３６２は、位相同期ループ（ＰＬＬ）３４８によって生成された局所信号３５０および第２のミキサ３６４を使用して無線周波数（ＲＦ）にアップコンバートされ得る。直交位相デジタルアナログ変換器（Ｑ−ＤＡＣ）３５６および同相デジタルアナログ変換器（Ｉ−ＤＡＣ）３３８のデジタルアナログ変換（ＤＡＣ）サンプリング周波数３１８を調整しないと、アップコンバートされた直交位相アナログ信号３５２とアップコンバートされた直交位相アナログ信号３６６との両方が同じく無線周波数（ＲＦ）にアップコンバートされている望ましくない周波数イメージを含み得る。これらアップコンバートされたＤＡＣイメージは、プライマリ受信機１２２、セカンダリ受信機１２６、およびワイヤレスデバイス１０２ａの外部に置かれた受信機１３０に干渉することがあり、これら受信機が各々の信号を復調して受信することをより難しくする。
【００３４】
デジタルアナログ変換器（ＤＡＣ）サンプリング周波数３１８を調整することにより、アップコンバートされた同相アナログ信号３５２およびアップコンバートされた直交位相アナログ信号３６６が調整されたＤＡＣイメージを有し、干渉の可能性を低減できる。次いで、アップコンバートされた同相アナログ信号３５２およびアップコンバートされた直交位相アナログ信号３６６が合成信号３７０を得るために加算器３６８を使用して加算されることができる。合成信号３７０は、自動利得制御（ＡＧＣ）増幅器３７２を使用して増幅され、次いでアンテナ３０４ａを使用して送信されることができる。
【００３５】
図４は、干渉を低減させるためにデジタルアナログ変換器（ＤＡＣ）サンプリング周波数３１８を調整するための方法４００の流れ図である。方法４００は、ワイヤレスデバイス１０２ａによって行われることができる。方法４００は、ワイヤレスデバイス１０２ａのソフトウェア、ファームウェアまたはハードウェア（例えばワイヤレスデバイス１０２ａに含まれるマルチモードモデム等）において実施できる。
【００３６】
ワイヤレスデバイス１０２ａはワイヤレスデバイス１０２ａ上の１つまたは複数の受信機の１つまたは複数周波数を決定できる（４０２）。受信機の周波数はこの受信機が所望の信号を受信する周波数のことを指してよい。ワイヤレスデバイス１０２ａは決定された１つまたは複数周波数に対する干渉を回避するためにデジタルアナログ変換器（ＤＡＣ）サンプリング周波数３１８を選択できる（４０４）。例えばワイヤレスデバイス１０２ａは、ＤＡＣイメージが無線周波数（ＲＦ）にアップコンバートされる場合に、決定された１つまたは複数周波数に干渉しないようにデジタルアナログ変換器（ＤＡＣ）サンプリング周波数３１８を選択できる。１つの構成において、デジタルアナログ変換器（ＤＡＣ）サンプリング周波数３１８は、アップコンバートされたＤＡＣイメージの周波数が決定された１つまたは複数の周波数と少なくとも２ＭＨｚ異なるように選択され得る。
【００３７】
ワイヤレスデバイス１０２ａは、決定された１つまたは複数の周波数に対する干渉を回避するために入力信号３０８のための信号サンプルレート３３４を選択できる（４０６）。信号サンプルレート３３４とデジタルアナログ変換器（ＤＡＣ）クロックレート（すなわちデジタルアナログ変換器（ＤＡＣ）サンプリング周波数１１８）とは同じである。ワイヤレスデバイス１０２ａはサンプルレートが調整された入力信号１１６を得るために入力信号３０８のサンプルレート３３４を選択された信号サンプルレート３４４に調整できる（４０８）。従って、サンプルレート調整された入力信号１１６は調整されたサンプルレートの入力信号３０８であることができる。
【００３８】
ワイヤレスデバイス１０２ａは、サンプルレート調整された入力信号１１６を同相デジタル信号３３６と直交位相デジタル信号３５４とに分離できる（４１０）。次いでワイヤレスデバイス１０２ａは、デジタルアナログ変換器（ＤＡＣ）サンプリング周波数３１８で同相デジタルアナログ変換器（Ｉ−ＤＡＣ）３３８を使用して、同相デジタル信号３３６を同相アナログ信号３４０へ変換できる（４１２）。また、ワイヤレスデバイス１０２ａは直交位相デジタルアナログ変換器（Ｑ−ＤＡＣ）３５６を使用して、直交位相デジタル信号３５４を直交位相アナログ信号３５８へ変換できる（４１４）。
【００３９】
図５は、本システムと方法で使用するためのサンプルレート調整器５１０を示すブロック図である。図５のサンプルレート調整器５１０は、図１のサンプルレート調整器１１０の１つの形態であってよい。サンプルレート調整器５１０は入力信号５０８ａを受信できる。入力信号５０８ａは１つまたは複数の補間器５７４ａ〜ｎに与えられ得る。各連続した補間器５７４は入力信号５０８ａのためのサンプルレートを２倍にできる。例えばＣＤＭＡシステムでは、入力信号５０８ａのチップレート（ｃｘ）はｃｘ１であり得る、第１の補間器５７４ａの出力５０８ｂのチップレートはｃｘ２（入力信号のチップレートの２倍）であり得る、第２の補間器５７４ｂの出力５０８ｃのチップレートはｃｘ４であり得る。補間器５７４のグループは補間器バンクと呼ばれることができる。
【００４０】
ＣＤＭＡ２０００システムは、１．２２８８ＭＨｚの基本チップレートを有することができる。基本チップレートは、チップｘ１と呼ばれることができる。補間器５７４を使用し、チップレートはチップｘ２（すなわち１．２２８８ＮＨｚｘ２）、チップｘ４（すなわち１．２２８８ＭＨｚｘ４）、チップｘ８、チップｘ１６、チップｘ３２、チップｘ６４等に増大され得る。
【００４１】
１つの構成では、補間器５７４の出力５０８ｂ−ｎが入力信号５０８ａのサンプルレートの任意の整数倍であることができる。補間器５７４は隣接するサンプルの間に特定数のゼロを挿入するように構成され得る。また、補間器５７４はアンチエイリアシングフィルタを含んでよい。
【００４２】
各補間器５７４の出力は、入力としてマルチプレクサ５７６へ与えられてよい。制御信号５８０は、入力としてマルチプレクサ５７６に与えられ、どの出力が同相デジタル信号５３６および直交位相デジタル信号５５４として通過されるかの選択を可能にしてよい。同相デジタル信号５３６および直交位相デジタル信号５５４が総合して送信信号の複素変調（complex modulation）を表す。送信信号は振幅変調と位相変調との両方を持つので明らかに複雑であり、同相構成要素と直交位相構成要素との両方を必要とする。
【００４３】
制御信号５８０は、干渉を回避するために同相デジタル信号５３６および直交位相デジタル信号５５４のサンプルレートがどうあるべきかを判定するコントローラ５７８によって生成され得る。コントローラ５７８は、干渉を回避するために同相デジタルアナログ変換器（Ｉ−ＤＡＣ）３３８および直交位相デジタルアナログ変換器（Ｑ−ＤＡＣ）３５６のデジタルアナログ変換器（ＤＡＣ）サンプリング周波数５１８を選択できる。一般に、デジタルアナログ変換器（ＤＡＣ）サンプリング周波数５１８は位相同期ループ（ＰＬＬ）およびデジタル除算器から得られる。
【００４４】
図６は、本システムと方法で使用するための他のサンプルレート調整器６１０を示すブロック図である。図６のサンプルレート調整器６１０は、図１のサンプルレート調整器１１０の１つの形態であってよい。サンプルレート調整器６１０は、入力信号６０８を受信できる。次いで、入力信号６０８は第１の補間器６７４ａに与えられ得る。第１の補間器６７４ａの出力は第２の補間器６７４ｂへ入力され得る。この入力信号６０８は付加的な複数の補間器６７４に与えられ得る。次いで、最後の補間器６７４ｎの出力はリサンプラ６８２に与えられ得る。リサンプラ６８２は特殊な種類の補間器であってよい。補間器６７４とは違って、リサンプラ６８２の出力のサンプルレートは入力信号６０８のサンプルレートの整数倍である必要はない。
【００４５】
例えばリサンプラ６８２は、特定の下限のサンプルレート（例えばｃｘ６４等）で入力を受け入れ、この下限サンプルレートと特定の上限サンプルレート（例えばｃｘ１２８等）との間の任意のレートで出力を与えるように構成できる。従ってリサンプラ６８２の使用によって、ＤＡＣイメージが（下限サンプルレートおよび上限サンプルレートによって決まる）与えられた範囲内にある任意の所望の周波数位置に置かれることが可能になる。コントローラ６７８は、入力信号６０８が制御信号６８０を使用してサンプリングされなければならない特定のサンプルレートについてリサンプラ６８２を指示できる。複数の補間器６７４ａ〜ｎは、リサンプラ６８２を介して入力信号６０８を通過させる前に、入力信号６０８のサンプルレートを所望の下限サンプルレートに変更するために使用され得る。
【００４６】
リサンプラ６８２は、同相デジタル信号６３６および直交位相デジタル信号６５４を出力できる。同相デジタル信号６３６および直交位相デジタル信号６５４の両方は所望のサンプルレートを持つことができる。また、リサンプラ６８２はデジタルアナログ変換器（ＤＡＣ）サンプリング周波数６１８を出力できる。デジタルアナログ変換器（ＤＡＣ）サンプリング周波数６１８は同相デジタル信号６３６および直交位相デジタル信号６５４のサンプルレートと同じであってよい。
【００４７】
１つの構成では、図１のサンプルレート調整器１１０が図５のサンプルレート調整器５１０および図６のサンプルレート調整器６１０の組合せを含んでよい。
【００４８】
図７は、補間器５７４、６７４を使用してデジタルアナログ変換器（ＤＡＣ）サンプリング周波数３１８を調整するための方法７００の流れ図である。この方法７００は、ワイヤレスデバイス１０２ａによって行われることができる。ワイヤレスデバイス１０２ａは、スプリアス輻射（spurious emissions）のためのコンプライアンス検査の不合格を生じさせるデジタルアナログ変換器（ＤＡＣ）イメージを判定できる（７０２）。「スプリアス輻射」という用語は意図的に作り出されたり送信されたりしたものでない任意の無線周波数のことを指してよい。スプリアス輻射は大抵の場合他の周波数を生成しないデバイスによって生成される。トランスミッタの割り当てチャネルの外部にある高調波またはその他の信号は一般にスプリアス輻射とみなされる。制限周波数帯域内にあるＤＡＣイメージはスプリアス輻射であるはずである。デジタルアナログ変換器（ＤＡＣ）輻射の強さによっては、ワイヤレスデバイス１０２ａがコンプライアンステスト要件を満たさないことがある。
【００４９】
ワイヤレスデバイス１０２ａが遵守しなくてはならないはずの様々なスプリアス輻射規制が存在する。例えば政府機関は、特定周波数帯域での送信について、（制限周波数帯域等の）隣接する周波数帯域におけるいずれの出力もある閾値を下回らなくてはならないことを指定できる。
【００５０】
ワイヤレスデバイス１０２ａは、ＤＡＣイメージが制限周波数帯域に置かれないようにデジタルアナログ変換器（ＤＡＣ）サンプリング周波数３１８を選択できる（７０４）。また、ワイヤレスデバイス１０２ａはＤＡＣイメージが制限周波数帯域に置かれないように、入力信号３０８のための信号サンプルレート３３４を選択できる（７０６）。１つの構成では、信号サンプルレート３３４とデジタルアナログ変換器（ＤＡＣ）サンプリング周波数３１８とは同じであってよい。
【００５１】
ワイヤレスデバイスは、１つまたは複数の補間器５７４、６７４を使用して、入力信号３０８のサンプルレートを信号サンプルレート３３４に調整できる（７０８）。ワイヤレスデバイス１０２ａは、図５に描かれるようなマルチプレクサ５７６、または図６に描かれるようなリサンプラ６８２を使用して、入力信号３０８のサンプルレートを調整できる。また、ワイヤレスデバイス１０２ａは１つまたは複数の補間器５７４、６７４を使用して、デジタルアナログ変換器（ＤＡＣ）サンプリング周波数３１８を調整できる（７１０）。次いでワイヤレスデバイス１０２ａは、デジタルアナログ変換器（ＤＡＣ）１２０を使用して、デジタル信号からアナログに入力信号３０８を変換できる（７１２）。
【００５２】
図８は、モデム８８４のためのフロントエンドアーキテクチャの構成を示すブロック図である。モデム８８４は、ワイヤレスデバイス１０２ａの一部であってよい。送信信号のストリームはメッセージを伝達するための信号ストリームを用意するために変調器８８５を通じて送信され得る。逆高速フーリエ変換（ＩＦＦＴ）８８６は信号ストリームを周波数領域から時間領域へ変換できる。ベースバンド（ＢＢ）フィルタ８８７は不所望な高い周波数イメージをフィルタ除去できる。デジタルアナログ変換器（ＤＡＣ）８２０はデジタル信号のストリームをアナログ信号のストリームに変換でき、アナログフィルタ８８９はより高い周波数イメージをさらに低減するために信号ストリームにさらなるフィルタリングを施すことができる。
【００５３】
ミキサ８９０はアナログベースバンド信号をＲＦ周波数へ変換できる。可変利得増幅器（ＶＧＡ）８９１は信号ストリームの利得を制御することによって所望の出力信号レベルを維持できる。最終的に、信号ストリームは、アンテナ８０４ａによって送信される前にバルク音響波（ＢＡＷ）フィルタ８９２を通過されてよい。バルク音響波（ＢＡＷ）フィルタ８９２は高周波イメージをさらに抑制する阻止帯域を備えた送信チャネルの中心周波数にあるＲＦ通過帯域フィルタであり、そのためイメージが受信チャネルの受信機のノイズフロアをかなり下回る。
【００５４】
図９は、同時ハイブリッドデュアルレシーバ（ＳＨＤＲ）機能を含むワイヤレス通信デバイス９２１のブロック図である。図９のワイヤレス通信デバイス９２１は、図１の第１のワイヤレスデバイス１０２ａの１つの形態であってよい。ＣＤＭＡ２０００プラス発展データ最適化（ＥＶ−ＤＯ）システムでは、ワイヤレス通信デバイス９２１がＥＶ−ＤＯデータセッション呼び出し中であるときに、ダイバーシティ受信機（すなわちセカンダリ受信機９３５）がＣＤＭＡ２０００の音声呼び出しページを検査するために使用され得る。これは、同時ハイブリッドデュアルレシーバ（ＳＨＤＲ）モードの動作と呼ばれる。
【００５５】
ワイヤレス通信デバイス９２１は、ベースバンドユニット９２７を含んでよい。ベースバンドユニット９２７は、変調回路９２９および復調回路９３１を含んでよい。変調回路９２９はＥＶ−ＤＯ変調器を含んでよい。復調回路９３１はＣＤＭＡ２０００復調器およびＥＶ−ＤＯ復調器を含んでよい。ベースバンドユニット９２７は送信機９２５、プライマリ受信機９３３、およびセカンダリ受信機９３５に接続されてよい。図９の送信機９２５は、図１のプライマリ送信機１０６の１つの形態であってよい。送信機９２５はコントローラ９２３によって制御され得る。送信機９２５およびプライマリ受信機９３３はデュプレクサ９４３を介してプライマリアンテナ９３９に接続されてよい。１つの構成で、送信機９２５とプライマリ受信機９３３とは、８００ＭＨｚ帯域および２ギガヘルツ（ＧＨｚ）帯域で信号を送信および受信することが可能であってよい。
【００５６】
セカンダリ受信機９３５は、セカンダリアンテナ９４１に接続されてよい。１つの構成で、セカンダリ受信機９３５はプライマリ受信機９３３から独立して、８００ＭＨｚ帯域、２ＧＨｚ帯域、および１．５ＧＨｚ帯域で信号を受信できる。送信機９２５およびプライマリ受信機９３３がＥＶ−ＤＯデータセッション呼び出しのために使用中であるとき、セカンダリ受信機９３５がＣＤＭＡ２０００音声呼び出しページを検査するために使用され得る。モードセレクタ９３７は、プライマリ受信機９３３とセカンダリ受信機９３５の使用を制御できる。
【００５７】
同時ハイブリッドデュアルレシーバ（ＳＨＤＲ）モードの動作は要求される受信帯域ノイズ仕様を満足させるための挑戦を送信機９２５に課し得る。１つの問題は、ＣＤＭＡ２０００の受信機ページングチャネルに陥るＥＶ−ＤＯ送信機９２５からのデジタルアナログ変換器（ＤＡＣ）イメージを持つことである。ＣＤＭＡ２０００ページングチャネルはワイヤレス通信デバイス９２１がサポートする任意のバンドクラスの任意のチャネルであり得る。このため、全てのサポートチャネルに対して働くＥＶ−ＤＯデータセッションの開始時に、ＥＶ−ＤＯ送信機９２５のためにデジタルアナログ変換器（ＤＡＣ）サンプリング周波数を賢明に選択することは不可能である。
【００５８】
しかしながら、ＣＤＭＡ２０００ページが受信される直前に、ＣＤＭＡ２０００受信機（すなわちセカンダリ受信機９３５）は、ＣＤＭＡ２０００ページを受信するためにどの周波数が使用されることになるかを知る。ＣＤＭＡ２０００ページを受信するために使用される周波数についての情報は、データセッション呼び出しの最中に、ＥＶ−ＤＯ送信機９２５のデジタルアナログ変換器（ＤＡＣ）サンプリング周波数を動的に変更するために使用され得る。ＥＶ−ＤＯ送信機９２５のデジタルアナログ変換器（ＤＡＣ）サンプリング周波数は、デジタルアナログ変換器（ＤＡＣ）イメージがＥＶ−ＤＯ受信チャネルまたはＣＤＭＡ２０００ページングチャネルのいずれにも陥らないように変更され得る。
【００５９】
図１０は、デジタルアナログ変換器（ＤＡＣ）９２０サンプリング周波数を動的に変更するための方法１０００の流れ図である。この方法１０００は、ワイヤレス通信デバイス９２１によって行われることができる。１つの形態では、方法１０００がワイヤレス通信デバイス９２１上のコントローラ９２３によって行われることができる。ワイヤレス通信デバイス９２１はデータセッションにおいて通信できる（１００２）。例えば、ワイヤレス通信デバイス９２１はＥＶ−ＤＯデータセッション呼び出し中にデータを送受信できる。
【００６０】
ワイヤレス通信デバイス９２１は、ページが受信されるはずであることを決定できる（１００４）。１つの形態では、このページがＣＤＭＡ２０００ページであってよい。ページが受信されるはずであることが決定されると、ワイヤレス通信デバイス９２１はＥＶ−ＤＯ送信機９２５からのデジタルアナログ変換器（ＤＡＣ）イメージがＣＤＭＡ２０００受信機（すなわちセカンダリ受信機９３５）に干渉の原因となるかどうかを判定できる（１００６）。すなわち、ＣＤＭＡ２０００ページが受信される周波数またはその非常に近くにデジタルアナログ変換器（ＤＡＣ）イメージが存在するかどうかが判定され得る。イメージが存在しない場合、この方法は、ＥＶ−ＤＯ送信デジタルアナログ変換器（ＤＡＣ）９２０サンプリング周波数を変更することなく終了する。
【００６１】
現在のデータセッションの送信デジタルアナログ変換器（ＤＡＣ）９２０サンプリング周波数が、ページの検査を試みるためにダイバーシティ受信機が使用しようとしているチャネルに陥るデジタルアナログ変換器（ＤＡＣ）イメージを生成すると、ワイヤレス通信デバイス９２１がデータセッションの送信デジタルアナログ変換器（ＤＡＣ）９２０サンプリング周波数を変更できる（１００８）。１つの形態では、現在のＥＶ−ＤＯ送信デジタルアナログ変換器（ＤＡＣ）９２０サンプリング周波数が、ＣＤＭＡ２０００ページを検査するためにダイバーシティ送信機が使用しようとしているＣＤＭＡ２０００チャネルに陥るデジタルアナログ変換器（ＤＡＣ）イメージを生成し得る。ワイヤレス通信デバイス９２１は、ＥＶ−ＤＯ送信デジタルアナログ変換器（ＤＡＣ）９２０サンプリング周波数を変更できる。デジタルアナログ変換器（ＤＡＣ）９２０サンプリング周波数は、データセッション送信信号上で振幅と位相過渡を最小化する形式で変更され得る（１００８）。すなわちデジタルアナログ変換器（ＤＡＣ）サンプリング周波数は、デジタルアナログ変換器（ＤＡＣ）イメージがＥＶ−ＤＯ受信チャネルまたはＣＤＭＡ２０００ページングチャネルのいずれにも陥らないように変更され得る。
【００６２】
方法１０００は、ＣＤＭＡ２０００ページが受信される度に繰り返され得る。従って、ＥＶ−ＤＯ送信デジタルアナログ変換器（ＤＡＣ）９２０サンプリング周波数は、ＥＶ−ＤＯデータ呼び出し中に複数回変更されて得る。方法１０００は、同時ハイブリッドデュアルレシーバ（ＳＨＤＲ）モードの動作をサポートするワイヤレス通信デバイス９２１のソフトウェア、ファームウェアおよび／またはハードウェアにおいて実施され得る。
【００６３】
サンプリング周波数変更メカニズムは、送信された波形の境界でサンプリング周波数の変更を時間整列するための規定を含んでよい。波形境界の例はフレーム、スロット、電力制御グループまたはブロック処理グループの境界を含む。時間整列は、送信の最中にサンプルレートが動的に変更されてよいことから行なわれ得る。サンプリング周波数の変更は波形における小さな乱れをもたらすことがあるが、前述の境界のうちの１つで時間整列することは基地局受信機での波形の復調に対する影響を軽減できる。
【００６４】
図１１は、デジタルアナログ変換器（ＤＡＣ）１２０の周波数応答１１９４と、デジタルアナログ変換器（ＤＡＣ）１２０の出力１１９６を示すグラフである。周波数応答１１９４の振幅は、ｓｉｎｃ関数(すなわち、sin(πx)／πx)に従って、増大する周波数でロールオフでき、サンプルレートの整数倍の周囲に非常に弱いイメージエネルギーの「ヌル(nulls)」を残す。
【００６５】
デジタルアナログ変換器（ＤＡＣ）１２０の出力１１９６は、周波数応答１１９４「ヌル」の周囲に複数のＤＡＣイメージ１１９８を含み得る。これらＤＡＣイメージ１１９８は、ワイヤレスデバイス１０２ａ上のプライマリ受信機１２２、ワイヤレスデバイス１０２ａ上のセカンダリ受信機１２６、または他のワイヤレスデバイス１０２ｂ上の受信機１３０に干渉する。
【００６６】
図１２は、基地局１２０１に含まれてよい複数の特定構成要素を示す。基地局１２０１はアクセスポイント、ノードＢ、進化型ノードＢ等であってよい。基地局１２０１は、プロセッサ１２０３を含む。プロセッサ１２０３は、汎用シングルまたはマルチチップマイクロプロセッサ（例えばＡＲＭ等）、専用マイクロプロセッサ（例えばデジタル信号プロセッサ（ＤＳＰ）等）、マイクロコントローラ、プログラマブルゲートアレイ等であってよい。プロセッサ１２０３は、中央処理装置（ＣＰＵ）と呼ばれることができる。図１２の基地局１２０１には、シングルプロセッサ１２０３だけが示されるが、代替構成では、（例えばＡＲＭとＤＳＰ等の）プロセッサの組合せが使用され得る
また、基地局１２０１はメモリ１２０５を含む。メモリ１２０５は電子情報を記憶できる任意の電子構成要素であってよい。メモリ１２０５は、ランダムアクセスメモリ（ＲＡＭ）、読み取り専用メモリ（ＲＯＭ）、磁気ディスク記憶媒体、光記憶媒体、ＲＡＭのフラッシュメモリデバイス、プロセッサとともに含まれたオンボードメモリ、ＥＰＲＯＭメモリ、ＥＥＰＲＯＭメモリ、レジスタ、並びにこれらの組合せを含むものとして具体化されてよい。
【００６７】
データ１２０７および複数の命令１２０９はメモリ１２０５に記憶されてよい。これら命令１２０９は、本明細書で開示される方法を実施するためにプロセッサ１２０３によって実行可能であり得る。これら命令１２０９の実行は、メモリ１２０５に記憶されたデータ１２０７の使用を伴ってよい。プロセッサ１２０３がこれら命令１２０９を実行すると、これら命令１２０９ａの様々な部分がプロセッサ１２０３にロードされ、データ１２０７ａの様々な要素がプロセッサ１２０３にロードされ得る。
【００６８】
また、基地局１２０１はワイヤレスデバイス１２０１への信号の送信、およびワイヤレスデバイス１２０１からの信号の受信を可能にするために送信機１２１１および受信機１２１３を含んでよい。送信機１２１１および受信機１２１３は、まとめて送受信機１２１５と呼ばれてよい。複数のアンテナ１２１７ａ〜ｂは、送受信機１２１５に電気的に結合されてよい。また、基地局１２０１は複数の送信機、複数の受信機および／または複数の送受信機（図示せず）を含んでよい。
【００６９】
基地局１２０１の様々な構成要素は、電力バス、制御信号バス、ステータス信号バス、データバス等を含み得る１つまたは複数のバスで一緒に結合されてよい。分かり易くするために、様々なバスが図１２においてバスシステム１２１９として描かれている。
【００７０】
図１３は、ワイヤレス通信デバイス１３０３内に含まれてよい特定の構成要素を示す。ワイヤレス通信デバイス１３０３はアクセス端末、移動局、ユーザ機器（ＵＥ）等であってよい。ワイヤレス通信デバイス１３０３は、プロセッサ１３０３を含む。プロセッサ１３０３は、汎用シングルまたはマルチチップマイクロプロセッサ（例えばＡＲＭ等）、専用マイクロプロセッサ（例えばデジタル信号プロセッサ（ＤＳＰ）等）、マイクロコントローラ、プログラマブルゲートアレイ等であってよい。プロセッサ１３０３は、中央処理装置（ＣＰＵ）と呼ばれてよい。図１３のワイヤレス通信デバイス１３０３にはシングルプロセッサ１３０３だけが示されているが、代替構成では、（例えばＡＲＭとＤＳＰ等の）プロセッサの組合せが使用されることが可能である。
【００７１】
また、ワイヤレス通信デバイス１３０３はメモリ１３０５も含む。メモリ１３０５は電子情報を記憶できる任意の電子構成要素であってよい。メモリ１３０５は、ランダムアクセスメモリ（ＲＡＭ）、読み取り専用メモリ（ＲＯＭ）、磁気ディスク記憶媒体、光記憶媒体、ＲＡＭのフラッシュメモリデバイス、プロセッサとともに含まれたオンボードメモリ、ＥＰＲＯＭメモリ、ＥＥＰＲＯＭメモリ、レジスタ、並びにそれらの組合せを含むものとして具体化されてよい。
【００７２】
データ１３０７および複数の命令１３０９はメモリ１３０５に記憶されてよい。これら命令１３０９は、本明細書で開示される方法を実施するためにプロセッサ１３０３によって実行可能であり得る。これら命令１３０９の実行はメモリ１３０５に記憶されたデータ１３０７の使用を伴ってよい。プロセッサ１３０３がこれら命令１３０９を実行すると、これら命令１３０９ａの様々な部分がプロセッサ１３０３にロードされ、データ１３０７ａの様々な要素がプロセッサ１３０３にロードされ得る。
【００７３】
また、ワイヤレス通信デバイス１３０３はワイヤレス通信デバイス１３０３への信号の送信、およびワイヤレス通信デバイス１３０３からの信号の受信を可能にするために送信機１３１１および受信機１３１３を含んでよい。送信機１３１１および受信機１３１３は、まとめて送受信機１３１５と呼ばれてよい。複数のアンテナ１３１７ａ〜ｂは、送受信機１３１５に電気的に結合され得る。また、ワイヤレス通信デバイス１３０３は複数の送信機、複数の受信機および／または複数の送受信機（図示せず）を含んでよい。
【００７４】
ワイヤレス通信デバイス１３０３の様々な構成要素は、電力バス、制御信号バス、ステータス信号バス、データバス等を含み得る１つまたは複数のバスで一緒に結合されてよい。分かり易くするために、様々なバスは図１３においてバスシステム１３１９として描かれている。
【００７５】
「決定(determine)」という用語は様々な行為を包含し、従って「決定」は計算、コンピューティング、処理、導出、調査、検索（例えば表、データベースまたはその他のデータ構造の検索等）、確認その他を含むことが可能である。「決定」はまた、受信（例えば情報の受信）、アクセス（例えばメモリ中のデータへのアクセス）その他を含むことも可能である。「決定」はまた、決定、選択、選別、確立その他を含むことも可能である。
【００７６】
「〜に基づく(based on)」という言い回しは、明示的に指定のない限り「〜だけに基づく」ということを意味しない。すなわち「〜に基づく」という言い回しは、「〜だけに基づく」と「少なくとも〜に基づく」の両方を言い表す。
【００７７】
「プロセッサ(processor)」という用語は、汎用プロセッサ、中央処理装置（ＣＰＵ）、マイクロプロセッサ、デジタル信号プロセッサ（ＤＳＰ）、コントローラ、マイクロコントローラ、ステートマシンその他を包含するために幅広く解釈されるべきである。ある状況下では、「プロセッサ」は特定用途向け集積回路（ＡＳＩＣ）、プログラマブル論理デバイス（ＰＬＤ）、フィールドプログラマブルゲートアレイ（ＦＰＧＡ）等のことを指してよい。「プロセッサ」という用語は、例えばＤＳＰとマイクロプロセッサ、複数のマイクロプロセッサ、ＤＳＰコアと併用する１つまたは複数のマイクロプロセッサ、または任意の他のそのような構成の組合せ等、処理デバイスの組合せのことを指してよい。
【００７８】
「メモリ(memory)」という用語は、電子情報を記憶することができる任意の電子構成要素を包含するために、幅広く解釈されるべきである。メモリという用語は、ランダムアクセスメモリ（ＲＡＭ）、読み出し専用メモリ（ＲＯＭ）、不揮発性ランダムアクセスメモリ（ＮＶＲＡＭ）、プログラマブル読み出し専用メモリ（ＰＲＯＭ）、消去可能プログラマブル読み出し専用メモリ（ＥＰＲＯＭ）、電気的消去可能ＰＲＯＭ（ＥＥＰＲＯＭ）、フラッシュメモリ、磁気または光データストレージ、レジスタ等の様々な種類のプロセッサ可読媒体のことを指してよい。メモリは、プロセッサがメモリから情報を読み出すことができる、および／またはメモリへ情報を書き込むことができる場合、プロセッサと電気的に通信していると言われる。プロセッサにとって不可欠なメモリは、プロセッサと電気的に通信している。
【００７９】
「命令(instructions)」と「符号(code)」という用語は、任意の種類のコンピュータ可読ステートメント（複数可）を含むために、幅広く解釈されるべきである。例えば、「命令」と「符号」という用語は、１つまたは複数のプログラム、ルーチン、サブルーチン、関数、手続き等のことを指してよい。「命令」と「符号」は、単一のコンピュータ可読ステートメントまたは多くのコンピュータ可読ステートメントを備えてよい。
【００８０】
本明細書で説明される関数は、ハードウェア、ソフトウェア、ファームウェアまたはそれらの任意の組合せの中で実施されてよい。ソフトウェアで実施される場合、関数はコンピュータ可読媒体上の１つまたは複数の命令として記憶されてよい。「コンピュータ可読媒体」または「コンピュータプログラム製品」という用語は、コンピュータによってアクセスされることが可能な任意の利用可能媒体を指す。限定ではなく、例として、コンピュータ可読媒体はＲＡＭ、ＲＯＭ、ＥＥＰＲＯＭ、ＣＤ−ＲＯＭもしくはその他の光ディスクストレージ、磁気ディスクストレージもしくはその他の磁気ストレージデバイス、または命令もしくはデータ構造の形態で所望のプログラム符号を運搬または記憶するために使用されることが可能であり、コンピュータによってアクセスされることが可能な任意のその他媒体を備えていてよい。ディスク（disk）とディスク（disc）は本明細書で使用される際、コンパクトディスク（disc）（ＣＤ）とレーザーディスク(登録商標)（disc）と光ディスク（disc）とデジタル多用途ディスク（disc）（ＤＶＤ）とフロッピー(登録商標)ディスク（disk）とＢｌｕｅ−ｒａｙ（登録商標）ディスク（disc）とを含み、この場合通常ディスク（disk）がデータを磁気的に再生し、ディスク（disc）がデータをレーザで光学的に再生する。
【００８１】
また、ソフトウェアまたは命令も送信媒体を介して送信されてよい。例えば、ソフトウェアが同軸ケーブル、光ファイバーケーブル、ツイストペア、デジタル加入者回線（ＤＳＬ）、または赤外線、無線およびマイクロ波等のワイヤレス技術を使用して、ウェブサイト、サーバまたはその他の遠隔ソースから送信される場合、同軸ケーブル、光ファイバーケーブル、ツイストペア、ＤＳＬ、または赤外線、無線およびマイクロ波等のワイヤレス技術は送信媒体の定義の中に含まれる。
【００８２】
本明細書で開示される方法は、説明された方法を達成するための１つまたは複数のステップまたは行為を備える。本方法のステップおよび／または行為は、特許請求の範囲から逸脱することなく互いに交換されてよい。すなわち、説明されている本方法の適切な動作のためにステップまたは行為の特定の順序が必要とされない限り、特性のステップおよび／または行為の順序および／または使用は、特許請求の範囲から逸脱することなく修正されてよい。
【００８３】
さらに、図２、４、７および１０に描かれるような、本明細書で説明される方法と技術を行うためのモジュールおよび／またはその他の適切な手段は、デバイスによってダウンロードされる、および／またはその他の方法で取得されることが可能である。例えばデバイスは、本明細書で説明される方法を行うための手段の転送を促進するために、サーバに結合されてよい。代替として、本明細書で説明される様々な方法は、デバイスが、ストレージ手段をデバイスに結合または提供することにより様々な方法を取得できるように、ストレージ手段（例えばランダムアクセスメモリ（ＲＡＭ）、読み出し専用メモリ（ＲＯＭ）、コンパクトディスク（ＣＤ）またはフロッピーディスク等の物理的記憶媒体等）を介して提供されることが可能である。さらに、本明細書で説明される方法と技術をデバイスに提供するための任意のその他の適切な技術が、利用されることが可能である。
【００８４】
特許請求の範囲は、上で描かれているものと寸分違わぬ構成と構成要素に限定されないことを理解されたい。特許請求の範囲から逸脱することなく、本明細書で説明されたシステム、方法および装置の配置、操作および細部の中で、様々な修正、変更および改変が行われてよい。
【図１】
2012531832.tif 000003
【図２】
2012531832.tif 000004
【図３】
2012531832.tif 000005
【図４】
2012531832.tif 000006
【図５】
2012531832.tif 000007
【図６】
2012531832.tif 000008
【図７】
2012531832.tif 000009
【図８】
2012531832.tif 000010
【図９】
2012531832.tif 000011
【図１０】
2012531832.tif 000012
【図１１】
2012531832.tif 000013
【図１２】
2012531832.tif 000014
【図１３】
2012531832.tif 000015
【国際調査報告】
2012531832.tif 000016
2012531832.tif 000017